(57)【要約】      （修正有）【課題】内容物を傷付けることなく容易に持ち運ぶことが可能な包装用容器を提供する。【解決手段】側壁部１２上縁から外側へ延設されたフランジ部１５を有する合成樹脂製容器本体１１の前記フランジ部１５の上部開口１６の対向する位置に切込部２０が形成され、前記切込部２０に先端差込部とその内側に幅狭の係止部を有するバンド部材が挿入係着され、容器本体１１の上部開口１６上方に手掛けバンド部３０が掛け渡されている。【選択図】図１
0003175879.tif 000002
【実用新案登録請求の範囲】
【請求項１】
側壁部上縁から外側へ延設されたフランジ部を有する合成樹脂製容器本体の前記フランジ部の上部開口の対向する位置に切込部が形成され、前記切込部に先端差込部とその内側に幅狭の係止部を有するバンド部材が挿入係着され、前記容器本体の上部開口上方に手掛けバンド部が掛け渡されていることを特徴とする包装用容器。
【請求項２】
前記上部開口が長方形状を有し短辺側のフランジ部に前記切込部が形成され、前記上部開口の長手方向に前記バンド部材が挿入係着されている請求項１に記載の包装用容器。
【請求項３】
前記切込部の両端に割れ防止用の小丸部が形成されている請求項１又は２に記載の包装用容器。
【考案の詳細な説明】
【技術分野】
【０００１】
本考案は、イチゴやブドウ、トマト等の比較的軽量な内容物を収納するための合成樹脂製の包装用容器に関する。
【背景技術】
【０００２】
例えば、イチゴやブドウ、トマト等の青果物を店頭等に陳列する際には、合成樹脂製の包装用容器が使用される。この種の包装用容器は、前記青果物等の比較的軽量な内容物を容器本体に直に収納し、必要に応じて合成樹脂フィルム等を内容物と共に容器本体の上部開口に被覆させて、商品として陳列される。
【０００３】
しかるに、包装用容器に収納された青果物等を購入する場合、購入者は商品を落とさないようにするために、容器本体の側壁部を押さえるようにして持つことが多い。その際、合成樹脂製の容器本体が外側から圧迫されることになり、内容物が型くずれしたり、傷みやすくなる等の問題があった。
【考案の概要】
【考案が解決しようとする課題】
【０００４】
本考案は前記の点に鑑みなされたものであり、内容物を傷付けることなく容易に持ち運ぶことが可能な包装用容器を提供するものである。
【課題を解決するための手段】
【０００５】
すなわち、請求項１の考案は、側壁部上縁から外側へ延設されたフランジ部を有する合成樹脂製容器本体の前記フランジ部の上部開口の対向する位置に切込部が形成され、前記切込部に先端差込部とその内側に幅狭の係止部を有するバンド部材が挿入係着され、前記容器本体の上部開口上方に手掛けバンド部が掛け渡されていることを特徴とする包装用容器に係る。
【０００６】
請求項２の考案は、前記上部開口が長方形状を有し短辺側のフランジ部に前記切込部が形成され、前記上部開口の長手方向に前記バンド部材が挿入係着されている請求項１に記載の包装用容器に係る。
【０００７】
請求項３の考案は、前記切込部の両端に割れ防止用の小丸部が形成されている請求項１又は２に記載の包装用容器に係る。
【考案の効果】
【０００８】
請求項１の考案に係る包装用容器は、側壁部上縁から外側へ延設されたフランジ部を有する合成樹脂製容器本体の前記フランジ部の上部開口の対向する位置に切込部が形成され、前記切込部に先端差込部とその内側に幅狭の係止部を有するバンド部材が挿入係着され、前記容器本体の上部開口上方に手掛けバンド部が掛け渡されているため、衛生的で内容物を傷付けることなく容易に持ち運ぶことができる。
【０００９】
請求項２の考案は、請求項１において、前記上部開口が長方形状を有し短辺側のフランジ部に前記切込部が形成され、前記上部開口の長手方向に前記バンド部材が挿入係着されているため、より安定した状態で持ち運ぶことができる。
【００１０】
請求項３の考案は、請求項１又は２において、前記切込部の両端に割れ防止用の小丸部が形成されているため、切込部の破損を抑制することができる。
【図面の簡単な説明】
【００１１】
【図１】本考案の一実施例に係る包装用容器の斜視図である。
【図２】図１の包装用容器の上面図である。
【図３】切込部に挿入係着された手掛けバンド部の模式図である。
【考案を実施するための形態】
【００１２】
図１，２に示す本考案の一実施例に係る包装用容器１０は、容器本体１１と、切込部２０と、手掛けバンド部３０とからなる。この包装用容器１０は、主にイチゴやブドウ、トマト等の比較的軽量な青果物等を内容物とする容器として好適に使用される。
【００１３】
容器本体１１は、ポリエチレンテレフタレート（ＰＥＴ）やポリスチレン（ＰＳ）等の合成樹脂からなり、図１，２に示すように、側壁部１２上縁から外側へ延設されたフランジ部１５を有する。また、容器本体１１は、フランジ部１５に上部開口１６を有している。実施例において、容器本体１１の形状としては、上部開口１６が容器本体１１の底面部１３より広口となる長方形状を有し、上部開口１６から容器本体１１の底面部１３に向かって側壁部１２が傾斜して形成される。なお、図２において、符号１７は上部開口１６の短辺、１８は上部開口１６の長辺である。
【００１４】
切込部２０は、図１，２に示すように、容器本体１１のフランジ部１５の上部開口１６の対向する位置に形成される。実施例では、長方形状の上部開口１６の短辺１７側のフランジ部１５の中央部付近に形成される。また、切込部２０の両端には、図３に示すように、割れ防止用の小丸部２１が形成されている。
【００１５】
手掛けバンド部３０は、図１〜図３に示すように、切込部２０に先端差込部３２とその内側に幅狭の係止部３３を有するバンド部材３１が挿入係着され、容器本体１１の上部開口１６上方に掛け渡されている。この手掛けバンド部３０では、切込部２０の長さより先端差込部３２の幅がわずかに大きく形成されているため、切込部２０への挿入後の脱落が防止される。実施例では、長方形状の上部開口１６の長手方向にバンド部材３１が挿入係着されている。
【００１６】
また、図３（ａ）〜図３（ｃ）は、手掛けバンド部３０の様々なバリエーションを表したものである。図３（ａ）の手掛けバンド部３０Ａは、先端差込部３２Ａが円形状（楕円状）に形成された例、図３（ｂ）の手掛けバンド部３０Ｂは、先端差込部３２Ｂが略菱形状に形成された例、図３（ｃ）の手掛けバンド部３０Ｃは、先端差込部３２Ｃが多角形状（略八角形状）に形成された例である。なお、いずれの手掛けバンド部３０Ａ〜３０Ｃも、先端差込部３２Ａ〜３２Ｃに鋭角な部分を有しない形状として、誤って指等を負傷したりすることがないように構成されている。
【００１７】
以上図示し説明したように、本考案の包装用容器１０では、容器本体１１のフランジ部１５に形成された切込部２０に、手掛けバンド部３０のバンド部材３１が挿入係着されて容器本体１１の上部開口１６上方に掛け渡されているため、容器本体１１に触れることなく容易に持ち運ぶことができる。従って、持ち運び時に容器本体１１の外側から圧迫されることがなくなり、内容物の型くずれや傷み等の傷付けを回避して持ち運ぶことが可能となる。しかも、容器本体１１の上部開口１６上方に掛け渡された手掛けバンド部３０を持つため、持ち運びがしやすく、内容物に触れるおそれがなくて衛生的である。
【００１８】
また、切込部２０に挿入係着される手掛けバンド部３０は着脱が容易であるため、内容物が収納されていない当該容器１０のみを搬送する際には、手掛けバンド部３０を取り外せば、容器本体１１を他の容器本体１１に積み重ねるとともに、手掛けバンド部３０を他の手掛けバンド部３０と束ねることで、かさばることなく容易に搬送することができる。そして、内容物の収納後には、切込部２０に手掛けバンド部３０のバンド部材３１をするだけでよく、繁雑な取付作業が不要で扱いやすい。
【００１９】
さらに、上部開口１６が長方形状を有し短辺１７側のフランジ部１５に切込部２０が形成され、上部開口１６の長手方向にバンド部材３１が挿入係着されているため、持ち上げた際に容器本体１１が傾きにくくなり、安定した状態で持ち運ぶことが可能となる。
【００２０】
加えて、切込部２０の両端に小丸部２１を形成することにより、切込部２０の両端から亀裂が生じて破損することを抑制することができる。
【００２１】
なお、本考案の包装用容器は、前述の実施例のみに限定されるものではなく、考案の趣旨を逸脱しない範囲において構成の一部を適宜に変更して実施することができる。例えば、合成樹脂フィルム等を内容物と共に容器本体の上部開口に被覆させて、内容物を保護してもよい。
【００２２】
また、先端差込部の形状は実施例のみに限定されるものではなく、切込部に挿入係着可能で指等を負傷しにくい形状であれば、どのような形状であっても構わない。
【００２３】
さらに、手掛けバンド部のバンド部材表面に商品名、ロゴ、イラスト、キャッチフレーズ等の印刷を施し、意匠性や宣伝効果の向上を図ってもよい。
【符号の説明】
【００２４】
１０    包装用容器
１１    容器本体
１２    側壁部
１３    底面部
１５    フランジ部
１６    上部開口
２０    切込部
２１    小丸部
３０    手掛けバンド部
３１    バンド部材
３２    先端差込部
３３    係止部
【図１】
0003175879.tif 000003
【図２】
0003175879.tif 000004
【図３】
0003175879.tif 000005